(57)【特許請求の範囲】
【請求項１】
その筐体の所定の面上に外部に露出するレンズであるカメラレンズを有するカメラに取付けるカメラ用ケースであって、
前記カメラの前記筐体に対して着脱自在に固定される本体部と、
像を拡大する拡大レンズを保持するレンズ保持体を備えており、前記本体部の所定の位置である第１位置と前記本体部の他の所定の位置である第２位置とで固定でき、且つその間で前記レンズ保持体を移動させるように移動可能である可動部材と、
前記レンズ保持体が前記第１位置にあり、前記カメラが前記拡大レンズの倍率に応じた拡大画像としての画像を撮像する場合に、照明を補助できるようになっており、前記レンズ保持体に設けられているとともに、前記レンズ保持体が前記第２位置から前記第１位置に移動したときに自動的に点灯し、前記レンズ保持体が前記第１位置から前記第２位置に移動したときに自動的に消灯するようになっている光源と、
前記光源に電力を供給するバッテリーと、
を備え、
前記拡大レンズは、前記レンズ保持体が前記第１位置にある場合には、前記カメラの前記カメラレンズの光路上に固定されることにより、前記カメラにより撮像される画像を前記拡大レンズの倍率に応じた画像とするようになっており、前記レンズ保持体が前記第２位置にある場合には、前記拡大レンズ及び前記光源が前記カメラレンズの光路上から外れることにより、前記カメラにより撮像される画像をそのままにするようになっている、
カメラ用ケース。
【請求項２】
前記本体部は、前記本体部が前記カメラに固定されたときに前記バッテリーを前記カメラが持つ充電端子と接続する充電用端子を備えており、前記バッテリーを、前記カメラの予備電源としても用いることができるようになっている、
請求項１記載のカメラ用ケース。
【請求項３】
前記レンズ保持体は前記可動部材に対して着脱自在に取付けられるようになっており、
前記光源は、前記レンズ保持体に設けられ、且つ当該レンズ保持体に取付けられた拡大レンズを用いて前記カメラが撮像を行うに相応しい照明光を照射するようになっている、
請求項１記載のカメラ用ケース。
【請求項４】
前記バッテリーは、前記本体部に設けられており、
前記可動部材には、前記バッテリーと接続された可動部材端子が設けられているとともに、前記レンズ保持体には、前記光源と接続された保持体端子が設けられており、
前記レンズ保持体を、前記可動部材に取付けたときに、前記可動部材端子と、前記保持体端子とが導通して、前記バッテリーと前記光源とが接続されることにより、前記バッテリーを前記光源の電源として用いることができるようになっている、
請求項３記載のカメラ用ケース。
【請求項５】
前記可動部材と、前記レンズ保持体の一方には凹部が、他方には前記凹部に挿入可能な凸部が設けられているとともに、
前記凹部と前記凸部のうちの前記可動部材に設けられている方の、前記凹部の内側又は前記凸部の外側には前記可動部材端子が、前記凹部と前記凸部のうちの前記レンズ保持体に設けられている方の、前記凹部の内側又は前記凸部の外側には前記保持体端子が、それぞれ設けられており、
前記凸部を前記凹部に挿入することにより、前記レンズ保持体の前記可動部材に対する取付けと、前記可動部材端子と前記保持体端子の導通とが行われるようになっている、
請求項４記載のカメラ用ケース。
【請求項６】
前記バッテリーは、前記レンズ保持体に設けられており、レンズ保持体とともに前記可動部材に対して着脱自在とされている、
請求項３記載のカメラ用ケース。
【請求項７】
前記レンズ保持体は、それが前記第２位置にある場合には、前記本体部の内部に隠れるようになっている、
請求項１記載のカメラ用ケース。
【請求項８】
前記カメラが、略直方体形状の携帯電話であり、その前面にディスプレイと、当該携帯電話を操作するための操作手段とを、また、その背面に前記レンズを備えているものである場合に、
前記本体部は、当該携帯電話の前記筐体の前面を露出させた状態で前記携帯電話をその内部に収納できる凹部である収納凹部を備えた略直方体形状である、
請求項１〜７のいずれかに記載のカメラ用ケース。
【請求項９】
前記カメラが、略直方体形状の携帯電話であり、その前面にディスプレイと、当該携帯電話を操作するための操作手段とを、また、その背面に前記レンズを備えているものである場合に、
前記本体部は、当該携帯電話の前記筐体の前面を露出させた状態で前記携帯電話をその内部に収納できる凹部である収納凹部を備えた略直方体形状であるとともに、
前記本体部は、
前記バッテリーを収納する、略直方体形状である所定厚さの収納室と、
前記収納室の外面の一つであり、前記携帯電話の前記筐体の前記背面と当接することが予定された当接面の周の３辺に、そのいずれもが、前記収納室の厚さ方向を延長する方向に伸びるものとされ、その高さが前記筐体の厚さと略対応する高さとされた、前記筐体の底面と当接することが予定された底面板、及び前記筐体の側面と当接することが予定された２つの側面板と、を備えるとともに、
前記側面板の先端には、前記当接面の中心方向に曲折された係止部が設けられており、
前記当接面と、前記底面板の前記当接面に面した面と、２つの前記側面板の前記当接面に面した面とで囲まれた空間として形成された前記収納凹部に、２つの前記側面板の間から、前記携帯電話の前記筐体の背面を前記当接面に、前記筐体の両側面を２つの前記側面板の前記当接面に面した面に、前記筐体の前面を前記係止部の底面に、それぞれ当接させながら前記携帯電話をスライドさせ、前記携帯電話の前記筐体の底面を前記底面板の前記当接面に面した面に当接させることで、前記携帯電話の前記本体部に対する着脱自在な固定を行えるようになっている、
請求項２に記載のカメラ用ケース。
【請求項１０】
前記充電端子が前記携帯電話の前記筐体の底面に設けられている場合に、
前記充電用端子は、前記底面板の前記当接面に面した面に設けられており、
前記携帯電話の前記筐体の底面を前記底面板の前記当接面に面した面に当接させると、前記充電端子と前記充電用端子とが接続されるようになっている、
請求項９に記載のカメラ用ケース。
【発明の詳細な説明】
【技術分野】
【０００１】
本発明は、カメラ付きの携帯電話等のカメラに取付けて用いられるカメラ用ケースに関する。
【背景技術】
【０００２】
カメラ、特にデジタルカメラはその利便性によりその普及の度合は極めて高い。このようなカメラは、ＣＣＤ（charge coupled device）、或いはＣＭＯＳ（complementary metal oxide semiconductor）などの撮像手段により像光を捉えて撮像を行う。
市販の一般的なカメラはそのほとんどが、人物や風景を撮像の対象とするようになっており、顕微鏡などを用いて行うような、高倍率の撮像を行うことは、普通はできない。
【０００３】
しかしながらそのような撮像を行えれば便利であり、また、一定の需要もあったことから、本願出願人は過去に、特開２００６−２５１１１３の出願を行っている。この出願は、一般的なカメラの一例としてのカメラを備えたカメラ付き携帯電話に取付けるアタッチメントを開示する。アタッチメントは、カメラに取付ける本体部と、本体部に対して着脱自在であり拡大レンズを含んだレンズ部とを備えている。このアタッチメントは、携帯電話に取付けられた本体部にレンズ部を取付けた場合には、レンズ部に含まれた拡大レンズを用いた高倍率の画像の撮像が可能となり、本体部をカメラから取外すか又は本体部からレンズ部を取外した場合には、携帯電話のカメラが本来的に行える通常の撮像を行えるようになる。
【０００４】
このアタッチメントは一般的なカメラに高倍率の撮像を行わせることができるようになるという作用効果を持つ。また、本体部を、携帯電話のケース乃至ジャケット状に形成した場合には、本体部を携帯電話に取付けたままにし、高倍率の撮像が必要になった場合のみ本体部に対してレンズ部を装着し、また通常の撮像を行う場合には本体部からレンズ部を取外すという使用態様を実現できるという点で、通常の撮像と高倍率の撮像とを簡単に切り替えられるという利点も持つ。
しかし、このアタッチメントにも改良すべき点がないわけではない。
このアタッチメントにおけるレンズ部は、上述したように、高倍率の撮像を行わない場合には本体部から取外されるが、取外されたレンズ部をどのように仕舞うかということが問題となりがちである。例えば、取外されたレンズ部を携帯電話のストラップに取付けるなどということも可能ではあるが若干不便であり、また美観という点で難があることは否めない。
【発明の概要】
【発明が解決しようとする課題】
【０００５】
本発明は、以上の点に鑑みてなされたものであり、カメラが本来撮像することのできる倍率よりも高倍率で撮像できるようにするカメラ用ケースを、高い倍率での撮像を行わない場合におけるレンズ部の仕舞いに、便利さ、美観の面で難がないように改良することを、その課題とする。
【課題を解決するための手段】
【０００６】
本願発明者は、上述の課題を解決するために、以下のようなカメラ用ケースを提案する。
【０００７】
本発明のカメラ用ケースは、以下のようなものである。
すなわち、本発明のカメラ用ケースは、その筐体の所定の面上に外部に露出するレンズ（レンズは常に露出しているを要しない。）であるカメラレンズを有するカメラに取付けるカメラ用ケースである。そしてこのカメラ用ケースは、前記カメラの前記筐体に対して着脱自在に固定される本体部と、像を拡大する拡大レンズを保持するレンズ保持体を備えており、前記本体部の所定の位置である第１位置と前記本体部の他の所定の位置である第２位置とで固定でき、且つその間で前記レンズ保持体を移動させるように移動可能である可動部材と、前記レンズ保持体が前記第１位置にあり、前記カメラが前記拡大レンズの倍率に応じた拡大画像としての画像を撮像する場合に、照明を補助できるようになっている光源と、前記光源に電力を供給するバッテリーと、を備え、前記拡大レンズは、前記レンズ保持体が前記第１位置にある場合には、前記カメラの前記カメラレンズの光路上に固定されることにより、前記カメラにより撮像される画像を前記拡大レンズの倍率に応じた画像とするように、前記レンズ保持体が前記第２位置にある場合には、前記カメラレンズの光路上から外れることにより、前記カメラにより撮像される画像をそのままにするようになっている。
このようなカメラ用ケースであれば、レンズ保持体が第１位置に位置する場合に、拡大レンズがカメラのカメラレンズの光路上に位置することになり、カメラで撮像するときの倍率を、本来撮像できる倍率以上の高倍率に上げられるようになる。逆に、レンズ保持体が第２位置にある場合には、カメラをカメラ用ケースの拡大レンズを通さずにそのまま使用することができる。この場合、カメラ用ケースを携帯電話から取り外す必要もないし、また、レンズ保持体及び可動部材をカメラ用ケースから取外す必要もないから、レンズ保持体及び可動部材の仕舞いについての問題が生じることもない。
なお、本願発明におけるカメラは、カメラの用途が主の機器である必要は必ずしもなく、例えば、カメラの付いたカメラ付き携帯電話等のカメラを含む機器であればよい。
また、拡大レンズは一枚のレンズであっても良いし、複数枚のレンズから構成されたレンズ群であっても構わない。
【０００８】
バッテリーは、上述のように光源に電力を供給する。バッテリーは、また、カメラの予備電源としても用いることができるようになっていてもよい。
例えば、前記本体部は、前記本体部が前記カメラに固定されたときに前記バッテリーを前記カメラが持つ充電端子と接続する充電用端子を備えており、前記バッテリーを、前記カメラの予備電源としても用いることができるようになっていてもよい。
カメラの電源として用いることで、カメラの電池切れ時にカメラを利用できるようになり、或いはカメラの電池切れを遅らせることできるようになる。特に、カメラがカメラ付き携帯電話である場合などは、電池容量の問題がつきまといがちであるため、カメラ（カメラ付き携帯電話）の予備電源としてバッテリーを用いることの意味が大きい。
【０００９】
本願発明の光源は、高倍率の画像の撮像をカメラで行うときに、照明を補助するものである。高倍率の画像の撮像を行う場合には、撮像範囲が非常に狭くなるので、単位面積辺りの照明光の不足が生じがちになる。光源は、その場合の照明を補助するものである。光源は、レンズ保持体が第１位置に来たときに照明光を自動的に照射するようになっていても良いし、例えば手動のスイッチにより必要に応じてユーザが光源に照明光を照射させるようになっていてもよい。
光源は、カメラ用ケースのどこに設けられていても構わないが、例えば可動部材に設けることができ、可動部材のレンズ保持体に設けることも可能である。
また、前記レンズ保持体は前記可動部材に対して固定されていても構わないが、可動部材に対して着脱自在に取付けられるようになっていてもよい。この場合、前記光源は、前記レンズ保持体に設けられ、且つ当該レンズ保持体に取付けられた拡大レンズを用いて前記カメラが撮像を行うに相応しい照明光を照射するようなものとなっていてもよい。
レンズ保持体が可動部材に対して着脱自在である場合には、拡大レンズの倍率の異なる幾つかのレンズ保持体を準備することにより、カメラで様々な倍率で撮像することが可能となる。ここで、撮像の倍率により必要な照明が変わってくるが、レンズ保持体に拡大レンズと光源を予めセットで設けておくことで、撮像の倍率を決定する拡大レンズと、それに相応しい照明を提供する光源とを一括で交換できるようになるため便利である。
【００１０】
光源が、可動部材に対して着脱自在とされたレンズ保持体に設けられている場合であって、前記バッテリーが、前記本体部に設けられているとき、前記可動部材には、前記バッテリーと接続された可動部材端子が設けられているとともに、前記レンズ保持体には、前記光源と接続された保持体端子が設けられており、前記レンズ保持体を、前記可動部材に取付けたときに、前記可動部材端子と、前記保持体端子とが導通して、前記バッテリーと前記光源とが接続されることにより、前記バッテリーを前記光源の電源として用いることができるようになっていてもよい。このようにすることにより、一括での光源と拡大レンズの交換を行うことによって、バッテリーと光源の接続がなされることになり便利である。
より詳しくは、前記可動部材と、前記レンズ保持体の一方には凹部が、他方には前記凹部に挿入可能な凸部が設けられているとともに、前記凹部と前記凸部のうちの前記可動部材に設けられている方の、前記凹部の内側又は前記凸部の外側には前記可動部材端子が、前記凹部と前記凸部のうちの前記レンズ保持体に設けられている方の、前記凹部の内側又は前記凸部の外側には前記保持体端子が、それぞれ設けられており、前記凸部を前記凹部に挿入することにより、前記レンズ保持体の前記可動部材に対する取付けと、前記可動部材端子と前記保持体端子の導通とが行われるようになっていてもよい。このようにすることで、簡単な構造でありながら、一括での光源と拡大レンズの交換を行った場合におけるバッテリーと光源の接続を確実に実現できるようになる。なお、本願の凹部は底のない環状である場合も含む。
【００１１】
光源が、可動部材に対して着脱自在とされたレンズ保持体に設けられている場合前記バッテリーは、前記レンズ保持体に設けられており、レンズ保持体とともに前記可動部材に対して着脱自在とされていてもよい。
この場合、バッテリーは光源に接続されており、一括での光源と拡大レンズの交換を行った場合には、レンズ保持体に設けられたバッテリーも同時に交換されることになる。
【００１２】
前記レンズ保持体は、それが前記第２位置にある場合には、前記本体部の内部に隠れるようになっていても構わない。そのようになっていれば、拡大レンズの不使用時においてはレンズ保持体を隠せるため、カメラ用ケースの美観を高められるようになるとともに、レンズ保持体の破損の可能性を小さくすることができる。
【００１３】
本体部の形状、構造には特に制限がない。
本願におけるカメラは、略直方体形状の携帯電話である場合がある。この場合の携帯電話は、その前面にディスプレイと、当該携帯電話を操作するための操作手段とを、また、その背面に前記カメラレンズを備えている場合がある。なお、この場合、操作手段とディスプレイは、例えばタッチパネルを採用することで一体化することができる。このような形状、構造は例えば、ソフトバンクモバイル株式会社が販売するｉＰｈｏｎｅ（登録商標）に代表される、近年急速に普及したタッチパネル式のスマートフォンに多く採用されている。
カメラがそのような携帯電話である場合、前記本体部は、当該携帯電話の前記筐体の前面を露出させた状態で前記携帯電話をその内部に収納できる凹部である収納凹部を備えた略直方体形状とすることができる。このような形状であれば、本体部に携帯電話を取付けた場合における全体形状がすっきりするだけでなく、本体部に収納したままの状態で携帯電話を使用することができるため、本体部に携帯電話を取付けたままカメラで拡大レンズを使用しないでそのままの画像も、拡大レンズを使用して拡大した画像も撮像出来ることと相俟って、本体部を携帯電話に取付けたままにしておくことができるようになるので便利である。本体部を携帯電話に取付けたままにすることができるのは、バッテリーで携帯電話の電源を賄えるようにした場合に、特にその利益が大きい。
この場合、本体部は更に以下のようなものとすることができる。例えば、前記本体部は、前記バッテリーを収納する、略直方体形状である所定厚さの収納室と、前記収納室の外面の一つであり、前記携帯電話の前記筐体の前記背面と当接することが予定された当接面の周の３辺に、そのいずれもが、前記収納室の厚さ方向を延長する方向に伸びるものとされ、その高さが前記筐体の厚さと略対応する高さとされた、前記筐体の底面と当接することが予定された底面板、及び前記筐体の側面と当接することが予定された２つの側面板と、を備えるとともに、前記側面板の先端には、前記当接面の中心方向に曲折された係止部が設けられており、前記当接面と、前記底面板の前記当接面に面した面と、２つの前記側面板の前記当接面に面した面とで囲まれた空間として形成された前記収納凹部に、２つの前記側面板の間から、前記携帯電話の前記筐体の背面を前記当接面に、前記筐体の両側面を２つの前記側面板の前記当接面に面した面に、前記筐体の前面を前記係止部の底面に、それぞれ当接させながら前記携帯電話をスライドさせ、前記携帯電話の前記筐体の底面を前記底面板の前記当接面に面した面に当接させることで、前記携帯電話の前記本体部に対する着脱自在な固定を行えるようになっていてもよい。こうすれば、携帯電話が略直方体形状である場合における本体部への固定を容易に達成できる。
更に、前記充電端子が前記携帯電話の前記筐体の底面に設けられている場合には、カメラ用ケースは以下のようにすることができる。即ち、前記充電用端子は、前記底面板の前記当接面に面した面に設けられており、前記携帯電話の前記筐体の底面を前記底面板の前記当接面に面した面に当接させると、前記充電端子と前記充電用端子とが接続されるようになっているものとすることができる。本願発明では、充電用端子の構成は、携帯電話の充電端子との接続を行えれば本来特に制限がないが、このような充電用端子を採用すれば、携帯電話のカメラ用ケースの本体部への取付けと同時に、充電端子と充電用端子の接続も行われるから便利である。この構成は、充電端子が携帯電話の前記筐体の底面に設けられている場合にのみ採用可能であるが、そのような構造を採用する携帯電話は多いので、汎用性はある程度高い。
【図面の簡単な説明】
【００１４】
【図１】本発明の実施形態に係るカメラ用ケースと、それと組合わせて用いられる携帯電話の構成を説明するための斜視図。
【図２】図１に示したカメラ用ケースを携帯電話に取付けた状態を示す斜視図。
【図３】図１に示したカメラ用ケースのレンズ保持体周辺の構造を拡大して示す斜視図。
【図４】図１に示したカメラ用ケースのレンズ保持体周辺の構造を拡大して示す斜視図。
【図５】本発明の実施形態に係るレンズ保持体を可動部材から外した状態を説明するための図。
【図６】本発明の実施形態に係るカメラ用ケースを使用した状態を説明するための図。
【発明を実施するための形態】
【００１５】
以下、本発明の一実施形態を、図面を参照しながら詳細に説明する。
【００１６】
図１、図２に、本実施形態におけるカメラ用ケース１の斜視図を示す。カメラ用ケース１は、本願のカメラの一例となるカメラ付き携帯電話Ａ（以下、単に「携帯電話Ａ」という場合がある。）と組み合わせて用いられるようになっている。
図１に示すのは、カメラ用ケース１にカメラ付き携帯電話Ａが固定されていない状態、図２に示すのは両者が固定された状態である。
【００１７】
携帯電話Ａは、いわゆるタッチパネル式のスマートフォンであり、例えば、ソフトバンクモバイル株式会社が販売するｉＰｈｏｎｅ４である。
携帯電話Ａは、その底面に、携帯電話Ａの充電端子Ｂを備える。もっとも、この充電端子Ｂは充電を行えれば、それ以外の用途があっても構わない。携帯電話Ａは、筐体Ａ１を備え、また、筐体Ａ１の前面にディスプレイＣを備える。ディスプレイＣはタッチパネルであり、指等で触られた場合に入力を受付けることができる。このディスプレイＣは、本発明でいう操作手段も兼ねる。携帯電話Ａは、カメラを内蔵しており、筐体Ａ１の背面にカメラのレンズＤが露出している。カメラの画像撮影用の撮像部材（例えば、ＣＣＤ、ＣＭＯＳ等）その他の部品は、携帯電話Ａの筐体Ａ１の内部に収納されている。
【００１８】
カメラ用ケース１は、本体部２を備えている。本体部２には、レンズ保持体３が取付けられており、また、バッテリー４が内蔵されている。
本体部２は、収納室２１、側面板２２、底面板２３、可動部材２４から構成され、この実施形態では樹脂製となっている。
【００１９】
収納室２１は、この実施形態では携帯電話Ａの厚さと略同程度の厚さとされた薄い略直方体とされた箱である。収納室２１は、カメラ付き携帯電話Ａを固定したときに、その外側の面が携帯電話Ａの背面と当接するようになっている当接板２１ａを備える。カメラ付き携帯電話Ａを固定したときに、携帯電話Ａの筐体Ａ１の背面が当接する側の当接板２１ａの面が、本発明で言う当接面である。
当接板２１ａは、カメラ付き携帯電話Ａの背面に略相当するような大きさ、形状になっており、この実施形態では略平面である。この当接板２１ａは、その両側縁を本体部２に設けられた図示せぬ溝に挿入されており、その両側縁を上側の方向（図１の右下に向かう方向）にその溝の中でスライドさせることにより本体部２の残部から取り外すことが可能となっている。なお、本体部２１から当接板２１ａを取り外した状態は、図３、図４に示されている。当接板２１ａの取り外しは、後述するバッテリー４の交換の際に必要となる。
収納室２１は、その左上（図１における右下）端部に、収納室２１の左上端部から直方体を切り落としたような形状として構成された切欠部２１ｂを有している。その結果、切欠部２１ｂの部分では、当接板２１ａの当接面に相当する面の裏面がむき出しの状態になっている。切欠部２１ｂには、その空間を埋めるようにして、レンズ保持体３が配されるようになっている。また、レンズ保持体３は、切欠部２１ｂを、この実施形態では携帯電話Ａの上下方向に移動するようにもなっている。当接板２１ａには、また、必ずしも形状はこの限りではないが、矩形のカメラ孔２１ｃが設けられている。カメラ孔２１ｃは、携帯電話Ａのレンズの視野確保のためのものであり、携帯電話Ａがカメラ用ケース１に取付けられた場合におけるレンズＤの正面の位置に穿たれている。
また、収納室２１の側面には、後述する光源３２ｂの電源にバッテリー４を使用するかしないかを切り替える光源スイッチ２１ｄ、およびカメラ付き携帯電話Ａの電源にバッテリー４を使用するかしないかを切り替える電源スイッチ２１ｅが設けられている。収納室２１の側面には、また、後述する反射撮影と無反射撮影とを切り替える反射スイッチ等の他のスイッチが備えられていてもよい。
【００２０】
側面板２２は、カメラ用ケース１へカメラ付き携帯電話Ａを着脱可能に固定した場合に、携帯電話Ａを保持するためのものである。
側面板２２は２つであり、収納室２１の側面部分から、収納室２１の厚さ方向に伸びるものとされた板である。側面板２２の高さはいずれも、携帯電話Ａの筐体の厚さと略対応する高さとされている。側面板２２の対向する面から面までの距離は、携帯電話Ａの筐体の幅に略対応する。側面板２２の先端には、当接板２１ａの中心方向に曲折された係止部２２ａが設けられている。係止部２２ａは、図２のようにして、カメラ用ケース１に携帯電話Ａが取付けられたときに、携帯電話Ａの筐体１Ａの前面に係止され、カメラ用ケース１からの携帯電話Ａの脱落を防止するものである。係止部２２ａは、この実施形態では、側面板２２の長さ方向の全長にわたって設けられているが、携帯電話Ａの脱落防止の目的が達成される限り、必ずしもそうする必要はない。
底面板２３は、収納室２１の底面部分から、収納室２１の厚さ方向を延長する方向に伸びる多少厚めの板である。底面板２３の高さは、携帯電話Ａの筐体の厚さと略対応する高さとされている。底面板２３の、上側の面には、本体接続端子２３ａが設けられている。凸形状の本体接続端子２３ａは、図２のようにして、カメラ用ケース１に携帯電話Ａが取付けられたときに、携帯電話Ａの凹形状の充電端子Ｂに挿入され、充電端子Ｂと接続されるようになっている。
当接板２１ａ、２つの側面板２２、底面板２３で囲まれた空間が、本発明でいう収納凹部であり、ここに携帯電話Ａが取付けられることになる。
【００２１】
可動部材２４は、切欠部２１ｂを携帯電話Ａの上下方向に平行移動するようになっている部材である。可動部材２４は、例えば、周知のプッシュプッシュ構造を採用することにより、その上端の位置と下端の２つの位置で任意に固定できるようになっている。可動部材２４には、レンズ保持体３が着脱自在に取付けられるようになっており、レンズ保持体３は可動部材２４の移動に伴い上下方向に移動するようになっている。図３における可動部材２４は、上方向に最大に移動させた状態であり、図４における可動部材２４は下方向に最大に移動させた状態である。この２つの位置で可動部材２４は固定できるようになっており、結果としてレンズ保持体３も図３、図４に示した位置で固定されるようになっている。レンズ保持体３が最も上にある図３に示した場合が、本願発明でいう第１位置にある場合であり、レンズ保持体３が最も下にある図４に示した場合が、本願発明でいう第２位置にある場合である。
上述した、カメラ孔２１ｃは、レンズ保持体３が第２位置にあるときにおけるレンズＤの視野の確保を実現するものであり、携帯電話Ａがカメラ用ケース１に取付けられ、且つレンズ保持体３が第２位置にあるときに、携帯電話Ａに内蔵のカメラがレンズＤのみを通しての通常の撮像を行えるようにする。
【００２２】
可動部材２４は、必ずしもこの限りではないが、この実施形態では、略直方体とされた筒状体であり、その幅は上述の切欠部２１ｂの幅に、その厚さは切欠部２１ｂの厚さにそれぞれ略対応させられている。可動部材２４の上面には、図示を省略の開口が設けられている。この開口は、レンズ保持体３と、可動部材２４との接続に用いられるものであり、底が抜けた孔であっても、底がある穴であっても構わない。開口の内部には、図示を省略の導線によりバッテリー４と導通させられた端子である可動部材端子が設けられている。
レンズ保持体３の可動部材２４への取付け方については後述する。
【００２３】
レンズ保持体３は、必ずしもこの限りではないが、この実施形態では、略直方体とされ、その幅は上述の切欠部２１ｂの幅に、その厚さは切欠部２１ｂの厚さにそれぞれ略対応させられている。
このレンズ保持体３は、図５および図６等で示すように、拡大レンズカバー３１、回路基板３２を備えている。なお、図６は、回路基板３２の構成を示すために、図５の状態の回路基板３２から拡大レンズカバー３１を取り除いた状態を示す分解図である。
回路基板３２の下方の矩形の部分の断面形状は、可動部材２４に設けられた上述の開口の断面形状に対応させられており、必ずしもこの限りではないがこの実施形態では板状である。回路基板３２の表面には、レンズ接続端子３２ｃが設けられている。回路基板３２の下方の部分を、可動部材２４に設けられている上述の開口に挿入することで、レンズ保持体３の可動部材２４への着脱自在な固定が実現される。レンズ保持体３の可動部材２４への固定がなされると、レンズ接続端子３２ｃと、開口内の可動部材端子とが導通させられる。
拡大レンズカバー３１は、その前面と後面側が開口しており、略直方体とされた筒状体である。
拡大レンズカバー３１と、回路基板３２は本来的には図５に示されたように固定されているが、その固定方法はどのようなものでもよい。例えば、拡大レンズカバー３１が係止用孔を備え、回路基板３２がその係止用孔に対応して挿入することができる円柱状の部材を備えるのであれば、その円柱状の部材を係止用孔に挿入することで両者の固定を行えばよい。もちろん、ネジ、ビス、ボルト、ナット、などを用いての固定、接着剤を用いての固定などで、両者が固定されていてもよい。
回路基板３２には、矩形状のレンズ孔３２ａが設けられている。このレンズ孔３２ａには、拡大レンズ３１ａが嵌めこまれている。拡大レンズ３１ａは像を拡大するレンズである。レンズ孔３２ａは、レンズ保持体３が第１位置にある場合に、カメラ孔２１ｃと対応するような位置に来るようになっている。したがって、レンズ保持体３が第１位置にある場合、携帯電話Ａに内蔵のカメラは、そのレンズＤと、拡大レンズ３１ａとを用いての、拡大した倍率での撮像を行えるようになっている。
回路基板３２は、拡大レンズ３１ａの周囲に光源３２ｂを備える。この光源３２ｂは、拡大レンズ３１ａを用いて撮像を行う場合に、撮像対象物に対して所定の照明光を照射するものであり、この実施形態ではレンズ孔３２ａを囲む９つのＬＥＤによって構成されている。光源３２ｂの構成は、拡大レンズ３１ａの特性に合わせて、例えば、その形状、数、位置等を選択することができる。この光源３２ｂは、撮像される画像を表面反射のある反射像とするための照明光と、撮像される画像を表面反射のない無反射像とするための照明光とに切り替えられるようになっていてもよく、この実施形態では本体部２の反射スイッチ（図では省略）により照明光の選択ができるようになっている。光源３２ｂは、図示を省略の導電によってレンズ接続端子３２ｃに接続されている。レンズ保持体３の可動部材２４への固定がなされた場合には、上述のように、レンズ接続端子３２ｃと、開口内の可動部材端子とが導通するが、これにより可動部材端子と導通しているバッテリー４を電源として光源３２ｂは点灯可能となる。
この実施形態では、光源３２ｂはレンズ接続端子３２ｃと一体とされているが、これに限られるわけではなく、例えば、拡大レンズカバー３１に光源３２ｂが備えられていてもよい。
【００２４】
バッテリー４は、収納室２１の内部に設けられている。バッテリー４は、カメラ付き携帯電話Ａおよびレンズ保持体３が備える光源３２ｂの電源として使用しうるものである。上述したように、バッテリー４は、それと接続された本体接続端子２３ａと接続された充電端子Ｂを介して携帯電話Ａの電源として機能し、また、それと接続された可動部材端子と接続されたレンズ接続端子３２ｃを介して、光源３２ｂの電源として機能する。バッテリー４をカメラ付き携帯電話Ａの電源として使用するかどうかは、本体部２の電源スイッチ２１ｅにより制御することができるようになっている。バッテリー４を光源３２ｂの電源として使用するかどうかは、本体部２の光源スイッチ２１ｄにより制御することができるようになっている。
バッテリー４は汎用品でも専用品でもよく、一般的な一次電池でも良く、また再充電可能な二次電池でも構わない。
バッテリー４は、当接板２１ａを取り外すと収納室２１から露出し、その状態で適宜交換可能となっている。
この実施形態では、バッテリー４は単四型乾電池であり、略直方体とされた筒状体を４つ並べたような形状の電池ボックスである、格納部４１に格納されるようになっている。
【００２５】
次に、このカメラ用ケース１の使用方法について説明する。
【００２６】
まず、図５に示すように、レンズ保持体３を、可動部材２４を介して本体部２に取付ける。レンズ保持体３が、倍率の異なる拡大レンズ３１ａについて、複数存在している場合には、所望の倍率の拡大レンズを持つレンズ保持体３を選択して、それを可動部材２４に取り付ける。この取付は、回路基板３２の下方の矩形の部分を、可動部材２４に設けられている上述の開口に挿入することで行う。
次に、カメラ付き携帯電話Ａを、図２に示すように、カメラ用ケース１に固定する。
かかる固定は、携帯電話Ａの筐体Ａ１の背面を当接板２１ａに当接させるとともに、２つの側面板２２の対向する面に筐体Ａ１の両側面を当接させた状態で、携帯電話Ａをカメラ用ケース１の上側から、下に向けて平行移動させることにより行う。携帯電話Ａの筐体Ａ１の底面が、底面板２３に当接し、また、底面板２３に設けられた凸形状の本体接続端子２３ａが、携帯電話Ａが備える凹形状の充電端子Ｂに挿入されることにより、カメラ付き携帯電話Ａと、カメラ用ケース１の着脱自在な固定が完了する。両側面板２２の係止部２２ａが、携帯電話Ａの前面を係止するので、カメラ用ケース１からの携帯電話Ａの脱落が防止される。
また、このとき、携帯電話Ａの前面が露出しているので、ユーザは、カメラ用ケース１を取付けたまま、携帯電話Ａを使用することができる。ユーザは、また、必要に応じて、バッテリー４をカメラ付き携帯電話Ａの電源として使用するかどうかを、本体部２の電源スイッチ２１ｅにより選択する。バッテリー４をカメラ付き携帯電話Ａの電源として使用することが選択された場合には、バッテリー４から、本体接続端子２３ａ、充電端子Ｂを介して携帯電話Ａへ電力が供給される。
【００２７】
この状態で、ユーザは、レンズ保持体３を、第１位置又は第２位置の任意の位置に移動させる。
レンズ保持体３が第１位置にある場合、レンズＤと、拡大レンズ３１ａの光軸が一致する。それにより、携帯電話Ａに内蔵のカメラは、そのレンズＤと、拡大レンズ３１ａとを用いての、拡大した高倍率での撮像を行えるようになっている。このとき、必要に応じて携帯電話Ａの筐体Ａ１の光源スイッチ２１ｄを操作して、光源３２ｂを点灯させることができる。光源３２ｂを点灯させることが選択された場合には、バッテリー４から光源３２ｂへ、可動部材端子、レンズ接続端子３２ｃを介して電力が供給される。光源３２ｂが点灯すると、拡大レンズ３１ａを用いてカメラが撮像するに適切な照明光が照射される。
他方、レンズ保持体３が第２位置にある場合、レンズＤの前方には拡大レンズ３１ａが存在せず、携帯電話Ａのカメラは、カメラ孔２１ｃを通して、レンズＤのみを用いた通常の倍率での撮像を行うことになる。この撮像には通常、光源３２ｂは使用しないので、光源３２ｂの点灯をさせないように光源スイッチ２１ｄを操作すればよい。なお、レンズ保持体３が第１位置から第２位置に移動した場合に光源３２ｂが自動的に消灯されるようにするスイッチをカメラ用ケース１の任意の部分に設けておくことも可能である。そうすることにより、バッテリー４の浪費を防ぐことが可能となる。
【００２８】
必要が生じれば、カメラ用ケース１に携帯電話Ａが固定された状態でも、可動部材２４に取付けられたレンズ保持体３を交換することができる。
また、カメラ用ケース１が不要になったら、取付けのときと逆の操作を行い、カメラ用ケース１から携帯電話Ａを取り外す。
カメラ用ケース１が取付けられたままの状態であっても、携帯電話Ａは使用可能であり、例えば電話をしたり、インターネットを利用したりすることができる。
【００２９】
＜変形例＞
上述のカメラ用ケース１では、光源３２ｂに電力を供給するのは、本体部２に収納されたバッテリー４であった。これに代えて、光源３２ｂへの電力の供給を、バッテリー４とは異なる他のバッテリーから行うことも可能である。他のバッテリーは、例えばレンズ保持体３の内部に取付けることが可能である。他のバッテリーを小型のボタン電池等とした場合には、レンズ保持体３の中に他のバッテリーを収納することは十分に可能である。この場合、他のバッテリーは光源３２ｂと常時接続した状態とすることができ、レンズ保持体３とともに可動部材２４に対して着脱自在とすることができる。
なお、他のバッテリーを用いる場合には、バッテリー４から光源３２ｂに電力を供給する必要がなくなるから、可動部材端子と、レンズ接続端子３２ｃは不要となる。
また、他のバッテリーを用いる場合には、バッテリー４を無くしてしまっても構わない。その場合には、バッテリー４を収納する空間が不要になるので、その分本体部２を薄型化することも可能である。
なお、他のバッテリーを用いる場合には、光源３２ｂと他のバッテリーを接続する導線上に、他のバッテリーから光源３２ｂへの電源の供給をＯＮ、OFFするスイッチを設けておくことができる。例えば、このスイッチは、レンズ保持体３の表面に操作を行うための部分が露出しており、ユーザの操作を可能たらしめている。
【符号の説明】
【００３０】
１  カメラ用ケース
２  本体部
３  レンズ保持体
４  バッテリー
２１  収納室
２１ａ  当接板
２１ｂ  切欠部
２１ｃ  カメラ孔
２１ｄ  光源スイッチ
２１ｅ  電源スイッチ
２２  側面板
２２ａ  係止部
２３ａ  底面板
２３  本体接続端子
２４  可動部材
３１  拡大レンズカバー
３１ａ  拡大レンズ
３２  回路基板
３２ａ  レンズ孔
３２ｂ  光源
３２ｃ  レンズ接続端子
４１  格納部
【図１】
0005932301.tif 000002
【図２】
0005932301.tif 000003
【図３】
0005932301.tif 000004
【図４】
0005932301.tif 000005
【図５】
0005932301.tif 000006
【図６】
0005932301.tif 000007